(57)【要約】【課題】  今回のＣＴ撮影を少ない被曝量で効率よく行えることを課題とする。【解決手段】  被検体のスカウト像データに基づき所定部位（例えば鎖骨）の画像を認識して所定の特徴点（例えば肩峰端）についての体軸方向座標ｚｐを検出・保持すると共に、前記被検体のＣＴ断層像診断結果に基づき入力された疾患部位の体軸方向座標ｚｑに基づき前記特徴点から疾患部位（例えば腫瘍）までの相対位置情報（ｚｄ＝ｚｑ−ｚｐ）を演算・保持する。これにより、次回のＣＴ撮影では、被検体のサイズや、撮影テーブルのどこに搭載されるかによらず、該被検体の肩峰端位置を検出するだけでその腫瘍の位置を略正確に推定できる。【選択図】  図１
2005118257.tif 000002
【特許請求の範囲】
【請求項１】
被検体を挟んで相対向するＸ線管及びＸ線検出器を備え、被検体体軸方向の位置情報に関連付けられた被検体のＸ線投影データに基づき該被検体のＣＴ断層像を再構成するＸ線ＣＴ撮影におけるローカライズ情報の設定支援方法であって、
被検体のスカウト像データに基づき所定部位の画像を認識して所定の特徴点についての体軸方向座標を検出・保持するステップと、
前記被検体のＣＴ断層像診断結果に基づき入力された疾患部位の体軸方向座標に基づき前記特徴点から疾患部位までの相対位置情報を演算・保持するステップとを備えることを特徴とするローカライズ情報の設定支援方法。
【請求項２】
前記被検体の今回のスカウト像データに基づき前記所定部位の画像を認識して前記所定の特徴点についての体軸方向座標を検出するステップと、
該検出した座標と前回のＣＴ撮影で演算・保持された特徴点から疾患部位までの相対位置情報とに基づき該疾患部位をカバー可能な今回のＣＴスキャンのためのローカライズ情報を生成するステップとを備えることを特徴とする請求項１記載のローカライズ情報の設定支援方法。
【請求項３】
前記被検体の今回のスカウト像データに基づき前記所定部位の画像を認識して前記所定の特徴点についての体軸方向座標を検出するステップと、
該検出した座標と前回のＣＴ撮影で演算・保持された特徴点から疾患部位までの相対位置情報とに基づき該疾患部位をカバー可能な今回の画像再構成のためのローカライズ情報を生成するステップとを備えることを特徴とする請求項１記載のローカライズ情報の設定支援方法。
【請求項４】
前記疾患部位の体軸方向座標と共に該疾患部位をカバーする体軸方向の幅情報が入力され、これらの情報に基づき該疾患部位をカバー可能なローカライズ情報を生成することを特徴とする請求項２又は３記載のローカライズ情報の設定支援方法。
【請求項５】
被検体を挟んで相対向するＸ線管及びＸ線検出器を備え、被検体体軸方向の位置情報に関連付けられた被検体のＸ線投影データに基づき該被検体のＣＴ断層像を再構成するＸ線ＣＴ装置において、
被検体のスカウト像データに基づき所定部位の画像を認識して所定の特徴点についての体軸方向座標を検出・保持する検出手段と、
前記被検体のＣＴ断層像診断結果に基づき入力された疾患部位の体軸方向座標に基づき前記特徴点から疾患部位までの相対位置情報を演算・保持する演算手段とを備えることを特徴とするＸ線ＣＴ装置。
【請求項６】
検出手段は、前記被検体の今回のスカウト像データに基づき前記所定部位の画像を認識して前記所定の特徴点についての体軸方向座標を検出すると共に、
該検出した座標と前回のＣＴ撮影で演算・保持された特徴点から疾患部位までの相対位置情報とに基づき該疾患部位をカバー可能な今回のＣＴスキャン及び又は画像再構成のためのローカライズ情報を生成する生成手段を更に備えることを特徴とする請求項５記載のＸ線ＣＴ装置。
【請求項７】
生成手段は、前記患部位の体軸方向座標と共に入力された該疾患部位をカバーする体軸方向の幅情報に基づき該疾患部位をカバー可能なローカライズ情報を生成することを特徴とする請求項６記載のＸ線ＣＴ装置。
【請求項８】
今回のＣＴスキャンが被検体の疾患部位をカバーする領域に近づいたことにより所定の報知を行う報知手段を備えることを特徴とする請求項６記載のＸ線ＣＴ装置。
【発明の詳細な説明】
【技術分野】
【０００１】
本発明はＸ線ＣＴ撮影におけるローカライズ情報の設定支援方法及びＸ線ＣＴ装置に関し、更に詳しくは、被検体を挟んで相対向するＸ線管及びＸ線検出器を備え、撮影テーブルによって体軸方向に搬送される被検体のＸ線投影データに基づき該被検体のＣＴ断層像を再構成するＸ線ＣＴ撮影におけるローカライズ情報の設定支援方法及びＸ線ＣＴ装置に関する。
【背景技術】
【０００２】
Ｘ線ＣＴ装置では、患者の過去と現在の状況変化を知る目的で比較撮影や経過撮影がよく行われる。これらの撮影では過去に撮影した場所と同じ位置の撮影が必要となるが、従来は、過去に取得したＣＴ撮影に関する情報（例えば疾患部位の位置情報等）が今回のＣＴ撮影に有効に利用されていないため、被検体体軸方向の必要な範囲（疾患部を含む関心領域）を超える無駄な範囲でＣＴ撮影が行われる場合も少なく無く、被検体被曝量の増加を招いていた。
【０００３】
なお、従来は、被検体の過去のスキャンデータに基づき所要ビュー角のスカウト像データを再生成して画面に表示することにより、今回行うリコンパラメータのグラフィカルな設定入力を支援するＸ線ＣＴ装置が知られている（特許文献１）。
【特許文献１】特開２００２−１８６６１２号公報（要約，図）。
【発明の開示】
【発明が解決しようとする課題】
【０００４】
しかし、上記従来技術は、過去に取得したスキャンデータを、後の画像再構成（レトロリコン）時におけるパラメータの設定入力に利用するものに過ぎず、今回のＣＴ撮影を少ない被曝量で効率よく行う技術に関するものでは無い。
【０００５】
本発明は上記従来技術の問題点に鑑みなされたもので、その目的とする所は、今回のＣＴ撮影を少ない被曝量で効率よく行うことの可能なＸ線ＣＴ撮影におけるローカライズ情報の設定支援方法及びＸ線ＣＴ装置を提供することにある。
【課題を解決するための手段】
【０００６】
上記の課題は例えば図１（ａ）の構成により解決される。即ち、本発明（１）のローカライズ情報の設定支援方法は、被検体を挟んで相対向するＸ線管及びＸ線検出器を備え、被検体体軸方向の位置情報に関連付けられた被検体のＸ線投影データに基づき該被検体のＣＴ断層像を再構成するＸ線ＣＴ撮影におけるローカライズ情報の設定支援方法であって、被検体のスカウト像データに基づき所定部位（例えば鎖骨）の画像を認識して所定の特徴点（例えば肩峰端）についての体軸方向座標ｚｐを検出・保持するステップと、前記被検体のＣＴ断層像診断結果に基づき入力された疾患部位の体軸方向座標ｚｑに基づき前記特徴点から疾患部位までの相対位置情報（ｚｄ＝ｚｑ−ｚｐ）を演算・保持するステップとを備えるものである。
【０００７】
本発明（２）では、上記本発明（１）において、例えば図１（ｂ）に示す如く、前記被検体の今回のスカウト像データに基づき前記所定部位（鎖骨）の画像を認識して前記所定の特徴点（肩峰端）についての体軸方向座標ｚｐ’を検出するステップと、該検出した座標ｚｐ’と前回のＣＴ撮影で演算・保持された特徴点から疾患部位までの相対位置情報ｚ
ｄとに基づき該疾患部位をカバー可能な今回のＣＴスキャンのためのローカライズ情報（例えばｚ１６０〜ｚ２２０）を生成するステップとを備えるものである。
【０００８】
本発明（３）では、上記本発明（１）において、前記被検体の今回のスカウト像データに基づき前記所定部位の画像を認識して前記所定の特徴点についての体軸方向座標を検出するステップと、該検出した座標と前回のＣＴ撮影で演算・保持された特徴点から疾患部位までの相対位置情報とに基づき該疾患部位をカバー可能な今回の画像再構成のためのローカライズ情報を生成するステップとを備えるものである。
【０００９】
本発明（４）では、上記本発明（２）又は（３）において、前記疾患部位の体軸方向座標と共に該疾患部位をカバーする体軸方向の幅情報が入力され、これらの情報に基づき該疾患部位をカバー可能なローカライズ情報を生成するものである。
【００１０】
本発明（５）のＸ線ＣＴ装置は、被検体を挟んで相対向するＸ線管及びＸ線検出器を備え、被検体体軸方向の位置情報に関連付けられた被検体のＸ線投影データに基づき該被検体のＣＴ断層像を再構成するＸ線ＣＴ装置において、被検体のスカウト像データに基づき所定部位の画像を認識して所定の特徴点についての体軸方向座標を検出・保持する検出手段と、前記被検体のＣＴ断層像診断結果に基づき入力された疾患部位の体軸方向座標に基づき前記特徴点から疾患部位までの相対位置情報を演算・保持する演算手段とを備えるものである。
【００１１】
本発明（６）では、上記本発明（５）において、検出手段は、前記被検体の今回のスカウト像データに基づき前記所定部位の画像を認識して前記所定の特徴点についての体軸方向座標を検出すると共に、該検出した座標と前回のＣＴ撮影で演算・保持された特徴点から疾患部位までの相対位置情報とに基づき該疾患部位をカバー可能な今回のＣＴスキャン及び又は画像再構成のためのローカライズ情報を生成する生成手段を更に備えるものである。
【００１２】
本発明（７）では、上記本発明（６）において、生成手段は、前記患部位の体軸方向座標と共に入力された該疾患部位をカバーする体軸方向の幅情報に基づき該疾患部位をカバー可能なローカライズ情報を生成するものである。
【００１３】
本発明（８）では、上記本発明（６）において、今回のＣＴスキャンが被検体の疾患部位をカバーする領域に近づいたことにより所定の報知を行う報知手段を備えるものである。
【発明の効果】
【００１４】
ところで、一般にＸ線ＣＴ撮影では、被検体を搭載した撮影テーブルが移動し、又は逆にＸ線撮影系を搭載したガントリが移動することにより、被検体のＸ線投影データはシステムの被検体体軸方向の位置情報と密接に関連付けられており、これによって、正確なスキャン及び画像再構成（リコン）を行うことが可能である。
【００１５】
しかし、一般に被検体のサイズは様々である上、被検体が常にシステムで管理する体軸方向の基準位置（撮影テーブルの一定位置等）に搭載されるとは限らないため、被検体のＸ線投影データと体軸方向の位置情報との関連付けはＣＴ撮影毎に異なる。このために、従来の比較撮影や経過撮影においては、疾患部位を含む関心領域を大幅に超える範囲でＣＴ撮影が行われる場合も少なく無く、被検体被曝量の増加を招いていた。
【００１６】
この点、上記本発明（１）においては、ＣＴ撮影において重要となる疾患部位の位置情報を、被検体と一体不可分な特徴点（肩峰端）から疾患部位（腫瘍）までの相対位置情報
を求めて保持する構成により、次回のＣＴ撮影では、被検体のサイズや、撮影テーブルのどこに搭載されるかによらず、被検体の肩峰端を検出するだけでその腫瘍の位置を略正確に推定できる。
【００１７】
また本発明（２）によれば、今回検出した特徴点（肩峰端）の座標ｚｐ’と前回のＣＴ撮影で演算・保持された疾患部位（腫瘍）までの相対位置情報ｚｄとに基づき該疾患部位を無駄なくカバー可能な今回のＣＴスキャンのためのローカライズ支援情報を適正に生成でき、これによって、被検体の被曝量を大幅に軽減できる。
【００１８】
本発明（３）によれば、上記前回のＣＴスキャンで演算・保持された相対位置情報ｚｄは、上記今回のＣＴスキャンのみならず、今回の無駄を省いた画像再構成（リコン）処理にも有効に活用できる。
【００１９】
本発明（４）においては、前回のＣＴ撮影に基づき疾患部位の体軸方向座標ｚｑと共に該疾患部位をカバーする体軸方向の幅情報が入力されることにより、今回のＣＴ撮影ではより無駄の無い正確なローカライズ支援情報を生成できる。
【発明を実施するための最良の形態】
【００２０】
以下、添付図面に従って本発明に好適なる実施の形態を詳細に説明する。なお、全図を通して同一符号は同一又は相当部分を示すものとする。
【００２１】
図２は実施の形態によるＸ線ＣＴ装置のブロック図で、該装置は、大きく分けて、Ｘ線ファンビームＸＬＦＢにより被検体１００のアキシャル／ヘリカルスキャン・読取等を行う走査ガントリ部３０と、被検体１００を載せて体軸ＣＬｂの方向に移動させる撮影テーブル２０と、前記走査ガントリ部３０及び撮影テーブル２０の遠隔制御を行うと共に、Ｘ線撮影技師や医者が各種の設定・操作を行う操作コンソール部１０とを備える。  
【００２２】
走査ガントリ部３０において、４０は回転陽極型のＸ線管、４０ＡはＸ線管の管電圧ｋＶ、管電流ｍＡ等を制御するＸ線管制御部、５０はＸ線のスライス厚を制限するコリメータ、５０Ａはコリメータ制御部、９０はチャネルＣＨ方向に並ぶ多数（ｎ＝１０００程度）のＸ線検出素子が体軸ＣＬｂ方向の例えば２列Ｌ１，Ｌ２に配列されているＸ線検出器（マルチディテクタ）、９１はＸ線検出器９０の検出信号に基づき被検体１００の投影データｇ１（Ｘ，θ），ｇ２（Ｘ，θ）を生成し、収集するデータ収集部（ＤＡＳ）、３５はこれらＸ線撮影系に係る各機器を体軸ＣＬｂの回りに回転自在に支持するガントリ、３５Ａはガントリ３５の回転制御部である。
【００２３】
操作コンソール部１０において、１１はＸ線ＣＴ装置の主制御・処理（スキャン制御、本発明による自動ローカライゼーション支援処理、ＣＴ断層像の再構成処理等）を行う中央処理装置、１１ａはそのＣＰＵ、１１ｂはＣＰＵ１１ａが使用するＲＡＭ，ＲＯＭ等からなる主メモリ（ＭＭ）、１２はキーボードやマウス等を含む指令やデータの入力装置、１３はスキャン計画情報、リコン計画情報、ＣＴ断層像に関する各種情報を表示するための表示装置（ＣＲＴ）、１４はＣＰＵ１１ａと走査ガントリ部３０及び撮影テーブル２０等との間で各種制御信号ＣＳやモニタ信号ＭＳのやり取りを行う制御インタフェース、１５はデータ収集部９１からの投影データを一時的に蓄積するデータ収集バッファ、１６はスキャン（投影）データやＣＴ断層像データを最終的に蓄積・格納すると共に、Ｘ線ＣＴ装置の運用に必要な各種アプリケーションプログラムや各種演算／補正用のデータファイル等を格納している２次記憶装置（ハードディスク装置等）である。
【００２４】
次に上記Ｘ線ＣＴ装置を使用したＸ線ＣＴ撮影処理を詳細に説明する。図３は実施の形態によるＸ線ＣＴ撮影処理のフローチャートである。ステップＳ１１では技師等が被検体
のスカウトスキャンのためのスキャンパラメータ（管電圧ｋＶ，管電流ｍＡ等）を設定する。ステップＳ１２では被検体１００のスカウトスキャンを行う。スカウトスキャンとは、ガントリ３５を所定のビュー角（例えばθ＝０°）に固定したままで、撮影テーブル２０を被検体体軸ＣＬｂの方向に一定速度で移動させ、被検体１００のＸ線透視映像（即ち、レントゲン像）を得るスキャンを言う。ステップＳ１３では得られたスカウト像を画面に表示する。図４に一例のスカウト像を示す。
【００２５】
ステップＳ１４では、スカウト像データに基づき特徴部分（例えば鎖骨）の画像を認識してその基準点（例えば肩峰端）の体軸方向の位置情報を抽出し、メモリに格納する。この処理を図５を参照して具体的に説明する。図５（ａ）において、スカウト像データから注目部分（例えば首から胸上半部にかけての部分）の投影データを抽出する。この部分の投影データは被検体体軸方向の位置情報ｚｉ〜ｚｊに位置対応している。更に、上記抽出した部分の投影データを骨の部分を抽出するのに好適な所定の閾値で２値化すると共に、フィルタ処理によって２次元平面上に点在する様なノイズ画像を除去する。図５（ｂ）において、更にフィルタ処理によりエッジ強調処理を行って骨の輪郭部を強調する。
【００２６】
図５（ｃ）において、鎖骨の画像をその特徴的な形状を抽出することにより画像認識すると共に、その所定の基準点の位置情報を抽出する。ここで、鎖骨とは、前胸部の上縁のところで胸骨と肩甲骨との間に略水平に展開する棒状の骨であって、軽くＳ字状に曲がっている。その内側端は胸骨端、また外側端は肩峰端と呼ばれ、両者とも関節面を具えている。そこで、例えば鎖骨１０１Ｒの肩峰端の部分を画像認識すると共に、その略中心点の座標ｚｐを抽出してメモリに記憶する。なお、胸骨端の側を認識しても良い。又、左右の鎖骨１０１Ｌ，１０１Ｒを認識してこれらの各特徴点座標を抽出し、平均化しても良い。これによって誤認識の可能性を低減できる。
【００２７】
図３に戻り、ステップＳ１５ではローカライズ範囲の自動生成モードか否かを判別し、最初（即ち、前回のＣＴ撮影情報を利用できない場合）は、自動生成モードにはなり得ないので、処理はステップＳ１８に進む。ステップＳ１８では、技師等が、表示画面のスカウト像を参照しつつ、続くアキシャル／ヘリカルスキャンのためのスキャンパラメータの設定（ローカライズ等）を行う。
【００２８】
図４にスキャンパラメータ設定処理のイメージを示す。ＣＴ断層イメージＱを取得するための一例のスキャンパラメータは以下の通り、
スキャンタイプ[Scan Type]＝アキシャルスキャン
体軸上のスキャン開始位置[Start Loc]＝ｚ１００
体軸上のスキャン終了位置[End Loc]＝ｚ２８０
スキャン枚数[NO. of Scan]＝１８０
被検体のスライス厚[Thick]＝１ｍｍ
スキャンタイム[Sec]＝１秒／ガントリ１回転
Ｘ線管の管電圧[kV]＝１２０ｋＶ
Ｘ線管の管電流[mA]＝２８０ｍＡ
である。最初のスキャンでは未知の疾患部位を逃さないように技師等により十分な広さのスキャン範囲がマニュアル設定される。更に、この画面上で操作者が[Show Localizer]アイコンをクリックすると、スカウト像１００Ａの上に各スライス位置を示す線（カットライン）が重ねて表示される。図の実太線はスキャンの開始位置及び終了位置、また点線は中間（但し、図は２０ライン毎）の各スライス位置を夫々表す。操作者はカットラインで被検体のスキャン範囲とアキシャルスキャン位置等を確認し、かつ必要ならマウスやキーボードによりこれらを自由に変更可能である。
【００２９】
図３に戻り、ステップＳ１９では設定確認（ＣＯＮＦＩＲＭ）か否かを判別し、確認で
なければステップＳ１８に戻る。この場合に、もしこのＣＴ撮影と同時に画像再構成（即ち、プロスペクティブリコン）を行う場合には、技師は、表示画面１３ａ上のプロスペクティブリコン「Ｐ−ＲＥＣＯＮ」タグをクリックすることで、プロスペクティブリコンパラメータ（画像再構成するスライス位置，スライス厚，スライス枚数，再構成アルゴリズム，イメージフィルタ等）を設定入力可能である。
【００３０】
図６にリコンパラメータ設定処理のイメージを示す。ＣＴ断層イメージＱを取得するための一例のリコンパラメータは以下の通り、
体軸上のリコン開始位置[Start Loc]＝ｚ１２０
体軸上のリコン終了位置[End Loc]＝ｚ２６０
イメージ枚数[NO. of Images]＝１４０
リコンのスライス厚[Thick]＝１ｍｍ
マトリクスサイズ＝２５６
である。最初のリコンでは未知の疾患部位を逃さないように技師等により十分な広さのリコン範囲がマニュアル設定される。
【００３１】
図３に戻り、こうして、やがてステップＳ１９の判別で設定確認ボタンが押されると、ステップＳ２０では被検体のスキャンを行い、ステップＳ２１では投影データを収集・蓄積する。ステップＳ２２では所定の撮影領域についての全スキャン完了か否かを判別し、完了でない場合はステップＳ２０に戻る。こうして、やがて全スキャンを完了すると、ステップＳ２３では画像再構成処理を行い、ステップＳ２４では再構成したＣＴ断層像を画面に表示する。
【００３２】
この表示と同時に、又は後日別途に、医師によりこれらのＣＴ断層像が診断され、腫瘍等を含む疾患部位のスライス面が特定されると、好ましくは、その中心点の体軸方向の位置情報と該疾患部を十分にカバーするような体軸方向の範囲の情報とが決定され、このＣＴ断層イメージＱを取得するための診断情報に付加される。なお、上記疾患部位の中心点の位置情報に代えて、該疾患部位を十分に含むような開始点と終了点の位置情報が入力されても良い。ステップＳ２５では該情報の入力を待ち、やがて入力されると、ステップＳ２６では必要な寸法情報を求めて位置情報と共にメモリのＣＴ断層イメージＱに対応する箇所に格納する。
【００３３】
図６に該寸法情報を求める処理のイメージを示す。今、疾患部位１０５の体軸方向の位置情報がｚｑであるとすると、基準位置ｚｐから疾患部１０５までの距離情報ｚｄは、ｚｄ＝ｚｑ−ｚｐにより得られる。また、この場合における疾患部位１０５を十分にカバーする体軸方向の幅情報は例えばｚｑ±３０ｍｍである。
【００３４】
図３に戻り、次に、同一の患者について後日２回目以降のＣＴ断層イメージＲを取得する場合のＣＴ撮影処理を説明する。但し、前回と同様の処理については説明を省略する。また図７にその処理イメージを示す。ステップＳ１４では被検体１００の今回のスカウト像データに基づいて鎖骨肩峰端の位置情報ｚｐ’を検出し、メモリに格納する。被検体１００は、撮影の度にいつでも撮影テーブル２０の同じ位置に搭載されるとは限らないので、一般にｚｐ≠ｚｐ’となる。
【００３５】
続くステップＳ１５の判別では、２回目以降は前回のＣＴ撮影情報を利用できるため、処理はステップＳ１６に進む。ステップＳ１６ではメモリの前回のＣＴ断層イメージＱに対応する格納箇所から前回の疾患部位１０５の基準位置ｚｐからの相対位置情報ｚｄを取得する。ステップＳ１７では今回のＣＴ断層イメージＲを取得するためのローカライズ情報を自動生成して画面に表示する。
【００３６】
図７において、疾患部位１０５の体軸方向の位置ｚｑ’は、ｚｑ’＝ｚｐ’＋ｚｄにより求められる。更に、該疾患部位１０５を十分にカバーするための範囲情報Δ＝±３０ｍｍに従って、今回のスキャン開始位置＝ｚ１６０と、スキャン終了位置＝ｚ２２０とを自動的に生成できる。
【００３７】
例えば特定の疾患部位１０５がそお後拡大しているか又は縮小しているかを診断するような比較撮影の用途では、前回のＣＴ撮影情報に基づき今回の必要最小限のスキャン範囲を自動生成することにより、被検体１００の受ける不必要な被曝を最小限に抑えることが可能である。なお、このスキャン範囲の生成情報は技師等の判断を支援するためのものであり、技師等は続くステップＳ１８の処理で実際のスキャン範囲（又はリコン範囲）を任意に設定／変更できることは言うまでもない。
【００３８】
以下、前回と同様にして進み、ステップＳ２０では被検体１００のスキャンを行う。この場合に、好ましくは、該スキャンが撮影の関心領域（即ち、ｚｑ’±Δ）に近づいたことにより不図示のブザーを鳴動させて患者や技師等の注意を促す。好ましくは、患者はこれにあわせて息止め等を行う。更に、ステップＳ２４では、好ましくは、今回のＣＴ断層像の表示と並行して前回の対応部位のＣＴ断層像を画面に表示することにより、医師や技師等は疾患部位１０５の経過状態等が非常に比較し易いものとなる。そして、ステップＳ２６では今回のＣＴ断層イメージＲの撮影情報に基づき必要な寸法情報ｚｄ’を求めて位置情報と共にメモリのイメージＲに対応する箇所に格納する。被検体の体格が徐々に変化する場合もあるので、直前のＣＴ撮影に係る寸法情報を保持することは有用である。
【００３９】
なお、上記実施の形態ではアキシャルスキャンの場合について述べたが、ヘリカルスキャンの場合は、補間によりアキシャルデータを生成して後、上記同様の方法で処理できる。
【００４０】
また、上記実施の形態では走査ガントリ部３０が固定されて撮影テーブル２０が移動する場合を述べたが、これに限らない。本発明は、逆に撮影テーブル２０が固定されて走査ガントリ部３０が移動する場合にも同様に適用できる。
【００４１】
また、上記実施の形態では、２回目以降のスカウト撮影でも被検体の広い範囲に渡って撮影を行ったが、これに限らない。２回目以降では、少なくとも所定部位（鎖骨等）を含むだけのスカウト像データがあれば、疾患部位の正確なローカライズ支援を行える。
【００４２】
また、上記本発明に好適なる実施の形態を述べたが、本発明思想を逸脱しない範囲内で各部の構成、制御、処理及びこれらの組み合わせの様々な変更が行えることは言うまでも無い。
【図面の簡単な説明】
【００４３】
【図１】本発明の原理を説明する図である。
【図２】実施の形態によるＸ線ＣＴ装置のブロック図である。
【図３】実施の形態によるＸ線ＣＴ撮影処理のフローチャートである。
【図４】実施の形態によるスキャンパラメータ設定処理のイメージ図（１）である。
【図５】実施の形態による特徴部分の画像認識処理を説明するイメージ図である。
【図６】実施の形態によるリコンパラメータ設定処理のイメージ図である。
【図７】実施の形態によるスキャンパラメータ設定処理のイメージ図（２）である。
【符号の説明】
【００４４】
１０  操作コンソール部
１１  中央処理装置
１１ａ  ＣＰＵ
１１ｂ  主メモリ（ＭＭ）
１２  入力装置
１３  表示装置（ＣＲＴ）
１４  制御インタフェース
１５  データ収集バッファ
１６  二次記憶装置（ハードディスク装置等）
２０  撮影テーブル
３０  走査ガントリ部
３５  ガントリ
４０  Ｘ線管
５０  コリメータ
９０  Ｘ線検出器（マルチディテクタ）
９１  データ収集部（ＤＡＳ）
【図１】
2005118257.tif 000003
【図２】
2005118257.tif 000004
【図３】
2005118257.tif 000005
【図４】
2005118257.tif 000006
【図５】
2005118257.tif 000007
【図６】
2005118257.tif 000008
【図７】
2005118257.tif 000009